(57)【要約】【課題】カット宝石にあける金具を通すための貫通孔の大きさを小さくするとともに、デザイン性に優れた宝石保持具及びそれを用いたユニークなデザインの宝飾品を提供する。【解決手段】カット宝石に挿通する直線状の挿通部材と、カット宝石を挟持するための湾曲部を有し挿通部材と係合する保持部材とで宝石保持具を構成する。【選択図】図６
2011177434.tif 000002
【特許請求の範囲】
【請求項１】
カット宝石を保持する宝石保持具であって、
カット宝石に挿通する直線状の挿通部材と、
カット宝石を挟持するための湾曲部を有し、前記挿通部材と係合する保持部材と、を備えたことを特徴とする宝石保持具。
【請求項２】
前記挿通部材は、前記保持部材と係止するための係合凸部を有していることを特徴とする請求項１に記載の宝石保持具。
【請求項３】
前記係合凸部の材質は、前記保持部材の材質と異なることを特徴とする請求項２に記載の宝石保持具。
【請求項４】
前記係合凸部の形状は、角部を有する形状であることを特徴とする請求項２に記載の宝石保持具。
【請求項５】
請求項１乃至４のいずれかに記載された宝石保持具と、
前記挿通部材が挿通するための穴を有するカット宝石と、を備えたことを特徴とする宝飾品。
【発明の詳細な説明】
【技術分野】
【０００１】
本発明は、水晶などのカット宝石の宝石保持具及びそれを用いた宝飾品に関する。
【背景技術】
【０００２】
従来から水晶などのカット宝石の保持具には種々のものが存在していたが、カット宝石をペンダントなどに用いる場合には、カット宝石を金属金具等で保持する必要がある。この際、カット宝石は貴重なものであり、また、身につけて使用される宝飾品の性質ゆえに、使用中に脱落しないように宝飾品本体に確実に保持される必要がある。
【０００３】
そのため、例えば、貴金属板材からなる一対の保持板を断面V字形に形成し、保持板の内側に設けた係止溝でカット宝石を保持する宝石保持具が提案されている（特許文献１参照）。また、カット宝石を確実に保持するために、細線体の環状部材からなる特別な金具を用いることが提案されている（特許文献２参照）。さらに、より確実にカット宝石を保持するために、カット宝石に貫通孔を形成し、丸環の金具を孔に挿通して、カット宝石を保持することが提案されている（特許文献３参照）。
【先行技術文献】
【特許文献】
【０００４】
【特許文献１】特開２００３−１８０４２０号公報
【特許文献２】特開２００５−２６１８６２号公報
【特許文献３】特開２００９−１６７２１８号公報
【発明の概要】
【発明が解決しようとする課題】
【０００５】
しかしながら、特許文献１の金具の場合には、カット宝石の大きさにあわせて、保持板のV字の形状を変更するとともに、係止溝を設ける位置を変えなければならないという問題があった。また、カット宝石の厚みが大きくなると、V字の頂点角度が１８０度近くなり、この金具では、カット宝石を挟めなくなるという問題があった。
【０００６】
特許文献２の金具の場合には、カット宝石の大きさにあわせて、細線体で形成される環状部の設計を変えなければならないという問題があった。
【０００７】
特許文献３の金具の場合には、カット宝石の大きさにあわせて、金具の丸環の大きさを変更しなければならないという問題があった。すなわち、カット宝石に形成される貫通孔は直線形状であり、この孔に丸環の金具を通すためには、ある程度丸環の径を大きくして、直線形状に近似できる環状部分を形成し、その部分を貫通孔に挿通する必要がある。従って、貫通孔の長さが長くなるような大きいカット宝石の場合には、金具の丸環の直径が大きくなり、デザイン性が損なわれるという問題があった。
【０００８】
また、貫通孔に挿通される環状部分は、ある程度曲率を有しているため、カット宝石に形成する貫通孔の直径を、丸環金具を構成する線の線径よりも大きくする必要がある。このため、カット宝石に形成される貫通孔が太くなり、ペンダントに用いられたカット宝石を加工して、イヤリングなどの小物にリサイクルしにくくなるという問題が生じる。
【０００９】
また、丸環金具が、回動によりカット宝石と擦れることで、金具の表面が傷ついてデザイン性が損なわれるという問題があった。さらには、カット宝石の貫通孔の端部付近が、丸環金具との接触により欠けてしまうという問題もあった。
【００１０】
本発明はかかる点を考慮してなされたものであり、金具を通すために、カット宝石に形成する貫通孔の大きさを小さくし、デザイン性に優れた宝石保持具及びそれを用いた宝飾品を提供することを目的とする。
【課題を解決するための手段】
【００１１】
前記課題を解決するために、請求項１に記載された発明は、カット宝石を保持する宝石保持具であって、カット宝石に挿通する直線状の挿通部材と、カット宝石を挟持するための湾曲部を有し、前記挿通部材と係合する保持部材と、を備えたことを特徴とする。
【００１２】
好ましくは、挿通部材は、前記保持部材と係止するための係合凸部を有していることが適当である。
好ましくは、係合凸部の材質は、前記保持部材の材質とは異なるのが適当である。
さらに好ましくは、係合凸部の形状は、角部を有する形状であるのが適当である。
【００１３】
さらに、本発明の宝飾品は、請求項１乃至４のいずれかに記載された宝石保持具と、前記挿通部材が挿通するための穴を有するカット宝石と、を備えたことを特徴とする。
【発明の効果】
【００１４】
本発明の宝石保持具及びそれを用いた宝飾品によれば、カット宝石にあける孔の大きさを挿通部材の線径程度にすることができるので、宝石の特性を劣化させることなく、宝飾品のデザイン性を向上させることができる。
【図面の簡単な説明】
【００１５】
【図１】本発明の一実施の形態に係る宝石保持具１の概略構成図を示したものである。
【図２】本発明の宝石保持具に使用される保持部材２を示す図であり、（ａ）はその正面図であり、（ｂ）はその側面図であり、（ｃ）はその背面図である。
【図３】本発明の宝石保持具に使用される挿通部材３を示す図であり、（ａ）はその正面図であり、（ｂ）はその側面図である。
【図４】本発明の宝石保持具１に使用される挿通部材３の他の実施形態を示す断面図である。
【図５】本発明の宝飾具に使用されるカット宝石４の側面図である。
【図６】本発明に係る宝飾品であるペンダントを示す図であり、（ａ）はその正面図であり、（ｂ）はその側面図である。
【図７】本発明に係るペンダント１０の組み立て手順を説明するための図である。
【図８】挿通部材３の係合凸部３１の形状の変形例を示す図である。
【図９】本発明に係るペンダント１０を実際に使用した状態を示す図である。
【発明を実施するための形態】
【００１６】
以下、本発明に係る宝石保持具を実施するための一実施の形態について、図面を参照して説明するが、本発明は以下の実施の形態に限定されるものではない。また、本発明に係る宝石保持具を用いた宝飾品については、宝石保持具と併せて説明する。なお、以下の実施形態では、説明の便宜上、カット宝石が水晶であり、宝飾品がペンダントであるものとする。
【００１７】
まず、本発明の宝石保持具の実施形態について説明する。
【００１８】
図１は、本発明の一実施の形態に係る宝石保持具１の概略構成図を示したものである。
図１に示すように、本実施形態の宝石保持具１は、保持部材２と、挿通部材３とから構成されている。
【００１９】
保持部材２は、逆Ｕ字型に形成されており、湾曲部２１を有している。挿通部材３は、直線状に形成された挿入軸３２と、挿入軸３２の一端側に設けられた係合凸部３１とから構成されている。挿通部材３の係合凸部３１は、保持部材２の一端近傍で保持部材２に係止され、挿入軸３２の先端は、保持部材２の他端近傍で、保持部材２に貫通している。
【００２０】
図２は、本発明の宝石保持具に使用される保持部材２を示す図であり、（ａ）はその正面図であり、（ｂ）はその側面図であり、（ｃ）はその背面図である。
図２において、図１と対応する部分には同一の符号を付してその説明を省略する。
【００２１】
図２（ａ）に示すように、保持部材２は、正面下端側２ａが鋭角を有するように、上面端側２ｂが円弧状となるように形成されている。保持部材２の正面下端側２ａには、挿通部材３の係合凸部３１と係合するための係合凹部２２が形成されている。本実施形態では、係合凹部２２の形状は、係合凸部３１の形状に合わせて、略逆三角形状に形成されている。係合凹部２２の中央部には、挿通部材３の挿入軸３２を挿入するための挿入孔２３が形成されている。挿入孔２３は、保持部材２を貫通するように形成されており、挿入孔２３の大きさは、挿入軸３２の軸径にほぼ一致するように形成されている。
【００２２】
図２（ｂ）に示すように、保持部材２は、デザイン性を高めるために、上面端側２ｂから前面下端側２ａに向けて、厚みが薄くなるように形成されている。後面下端側２ｃには、挿通部材３の挿入軸３２を挿入するための挿入孔２４が形成されている。挿入孔２４の位置は、前面下端側２ａに設けられた挿入孔２３と高さが一致するように形成されている。これにより、挿入孔２３に挿入された挿通部材３の貫通軸３２を、挿入孔２４へ簡単に挿入することができる。
【００２３】
図２（ｃ）に示すように、保持部材２は、上面端側２ｂから後面下端側２ｃに向けて、幅が狭くなるように形成されている。後面下端２ｃの中央部には、挿通部材３の挿入軸３２を挿入するための挿入孔２４が形成されている。挿入孔２４は、保持部材２を貫通するように形成されており、挿入孔２４の大きさは、挿入軸３２の軸径にほぼ一致するように形成されている。
【００２４】
保持部材２は、正面下端側２ａから後面下端側２ｃにかけて扁平となるように形成されている。なお、保持部材２の厚さは、０．１ｍｍ〜４．０ｍｍの範囲であって、好ましくは、１．０ｍｍ〜２．５ｍｍの範囲で形成するのがよい。この保持部材２は、シリコン樹脂でモールド成型した金型に、材料となる溶かした銀、地金等を流し込むことにより製造する。なお、本実施形態の場合は、保持部材２の材料として銀を使用する。
【００２５】
図３は、本発明の宝石保持具に使用される挿通部材３を示す図であり、（ａ）はその正面図であり、（ｂ）はその側面図である。
図３において、図１と対応する部分には同一の符号を付してその説明を省略する。
【００２６】
図３（ａ）に示すように、挿通部材３は、逆三角形状に形成された係合凸部３１を備えている。係合凸部３１の形状は、保持部材２に形成された係合凹部２２の形状と合致するように形成されている。
【００２７】
図３（ｂ）に示すように、挿通部材３は、係合凸部３１と一体に成型された直線状の軸部材からなる挿入軸３２を有している。なお、本実施形態の挿入軸３２の軸径は、約１ｍｍとなるように成型されている。
【００２８】
挿通部材３の係合凸部３１の形状は角部を有しているので、後述する宝飾具を作成する際のロウ付け作業を行う場合に、回転力等が発生したとしても、挿入軸３２が動くことはなく、確実に作業を行うことができる。
【００２９】
挿通部材３は、上述した保持部材２と同様に、シリコン樹脂でモールド成型した金型に、材料となる溶かした銀、地金等を流し込むことにより製造する。また、挿通部材３を、保持部材２と異なる材料（例えば、地金）で作成することで、別途、地金部材を接着剤で貼り付けすることなく、コンビネーションデザインを実現することができる。
【００３０】
係合凸部３１の形状は、本実施形態に限られず、例えば、図８（ａ）に示すように、ハート形状を有するものであってもよいし、図８（ｂ）に示すように、コウモリの形状を有するものであってもよいし、図８（ｃ）に示すように、十字架の形状を有するものであってもよい。
なお、係合凸部３１の形状は、上述の各形態に限定されるものではなく、デザイン性を備えた他の形状を適用できることはいうまでもない。
【００３１】
また、図４は、本発明の宝石保持具１に使用される挿通部材の他の実施形態を示す断面図である。
図４に示すように、挿通部材３’は、係合凸部３１’と直線状の挿入軸３２’とを備えている。本実施形態の係合凸部３１’の形状は、上述した実施形態と同様に、逆三角形状に形成されている。挿通部材３’の係合凸部３１’には、別途成型された表示部材３３がロウ付けによって装着されている。表示部材３３の形状は、上述したように逆三角形状や、ハート形状等、デザイン性を有する任意の形にすることができる。
【００３２】
本実施形態の挿通部材３’によれば、係合凸部３１’及び挿入軸３２’の形状を変えずに、表示部材３３の形状を変更するだけで、様々なデザインを表現することができる。
【００３３】
また、表示部材３３は、カット宝石４と対向する側に、空間部３４を有するように形成されている。これにより、カット宝石４の表面４ｂが曲部を有する場合に、表示部材３３の端部３３ａ、３３ｂの向きを調整して、表示部材３３の位置をカット宝石の表面４ｂに適合させることができる。
【００３４】
なお、上記の実施形態では、係合凸部３１’と表示部材３３とを別部材で成型しているが、係合凸部３１’と表示部材３３とが一体になるように成型してもよい。
【００３５】
図５は、本発明の宝飾具に使用されるカット宝石４の側面図である。本実施形態では、カット宝石として、いわゆるエメラルドカットが施されたスクエアタイプの水晶を用いる。なお、宝石のカット方法はエメラルドカットに限られることはなく、ブリリアンカット、ステップカット等を用いてもよい。
【００３６】
図５に示すように、カット宝石４の上部には、挿通部材３の挿入軸３２を挿通するための貫通孔４ａが形成されている。貫通孔４ａは、超音波加工法若しくは放電加工法を用いて形成する。貫通孔４ａは、挿入軸３２の軸径よりも少し大きな径となるように形成される。本実施形態では、貫通孔４ａの直径は、約１ｍｍとなるように形成されている。
【００３７】
なお、本実施形態では、貫通孔４ａを形成する位置をカット宝石４の上部としたが、宝飾具のデザインに応じて、カット宝石の中央部に貫通孔４ａを形成するようにしてもよい。
【００３８】
図６は、本発明に係る宝飾品であるペンダント１０を示す図であり、（ａ）はその正面図であり、（ｂ）はその側面図である。
図６（ａ）に示すように、ペンダント１０は、保持部材２によって、カット宝石４が保持されている。保持部材２は、カット宝石４の上部を保持しているので、カット宝石４の美しさが損なわれることがなく、ペンダント１０のデザイン性を向上させることができる。また、挿通部材３の係合凸部３１が、保持部材２の正面下端２ａ付近に位置するので、係合凸部３１の逆三角形状と、保持部材２の先端部分の形状とが調和し、使用者に対し、優れたデザイン性を主張することができる。本実施形態では、横幅が約２ｃｍ、縦幅が約３ｃｍのカット宝石４と、上面端側２ｂの横幅が約１ｃｍの保持部材２を使用する。
【００３９】
また、図６（ｂ）に示すように、保持部材２の前面下端部２ａと後面下端部２ｃとにより、カット宝石４を挟みこんで保持をしている。このとき、図の網掛部に示す部分において、保持部材２の前面下端２ａ側が、カット宝石４ａの前面に密着し、保持部材２の後面下端２ｃ側が、カット宝石４ａの後面に密着しているので、保持部材２とカット宝石４との接触面積が増え、カット宝石４を安定した状態で保持することができる。
【００４０】
また、カット宝石４の上面と、保持部材２の湾曲部２１との間に形成される空間に、チェーン１２を通すことにより、図９に示すように、使用者の首から吊り下げるタイプのペンダント１０として使用することができる。
【００４１】
なお、本実施形態のペンダント１０は、使用者が歩行している場合であっても、カット宝石４の姿勢を安定した状態に保つことができる。すなわち、使用者が動くことで、カット宝石４の向きが裏返えるようなことを防止できる。
【００４２】
次に、本発明に係るペンダント１０の組み立て手順について、図７を用いて説明する。
まず、図７（ａ）に示すように、予め、カット宝石４の大きさに合わせて、保持部材２の前面下端部２ａと後面下端部２ｃとの距離を微調整した保持部材２をカット宝石４の上部に取り付ける。
このとき、保持部材２に形成された挿入孔２３とカット宝石４の前面側の貫通孔４ａの位置、及び保持部材２に形成された挿入孔２４とカット宝石４の後面側の貫通孔４ａの位置とが、それぞれ一致するように取り付ける。なお、保持部材２には、湾曲部２１が形成されているので、湾曲部２１に力を加えるだけで、容易に調整を行うことができる。本実施形態では、予め、保持部材２をカット宝石４に合わせて調節しておくので、保持部材を宝石に取り付ける際に、宝石に直接力が加わって、宝石の割れや、欠け、傷つけが発生することを防止できる。
【００４３】
つぎに、図７（ｂ）に示すように、挿通部材３の挿通軸３２の先端を、保持部材２の係合凹部２２に形成された挿入孔２３に挿入し、挿通軸３２をカット宝石４の貫通孔４ａに沿って押し込む。その後、挿入部材３の係合凸部３１と、保持部材２の係合凹部２２とが嵌合するまで、挿入部材３を押し込み、保持部材２の挿入孔３２から挿入軸３２を突出させる。
【００４４】
つぎに、挿通部材３の係合凸部３１と、保持部材２の係合凹部２２とを嵌合させた状態で、保持部材２の挿入孔２４付近にレーザーロウ付けを行い、保持部材２と挿通部材３とを溶接固定する。さらに、保持部材２の挿入孔２４から突出した挿通軸３２を切断し、切断面をヤスリで磨くとともに、保持部材２の後面下端側２ｃの不要部分を切断し、最終的に、図７（ｃ）に示す完成品とする。
【００４５】
なお、保持部材２の後面下端側２ｃを切断する際には、カット宝石４の後面から突出した部分を切断する。これにより、ペンダント１０が、使用者の洋服等に絡まってしまうことを防止することができる。
【００４６】
本発明に係る宝石保持具１によれば、保持部材２と直線状の挿通軸３２を有する挿通部材３との２部品でカット宝石を保持することができる。また、カット宝石４を貫通して保持する部材として、直線状の挿通軸３２を有する挿通部材３を用いるので、カット宝石４に形成する貫通孔４ａの大きさは、挿通軸３２の軸径と同じ程度で済ますことができる。これにより、宝石の特性を劣化させることなく、デザイン性に優れたペンダント１０を製造することができる。
【００４７】
本発明は、上記実施の形態に限定されず、種々変更して実施することが可能である。例えば、上記実施の形態においては、カット宝石が水晶である場合のみについて説明しているが、本発明は、例えば、ダイアモンド、ルビー、サファイアなどその他の宝石、人工ダイアモンドなどの合成石、イミテーション石にも適用することができるのはもちろんである。また、カット宝石は、複数の石を重ねて構成されるものであってもよい。
【００４８】
また、挿通部材３の係合凸部３１の形状は、逆三角形状に限られるものではなく、例えば、円形としてもよい。この場合、保持部材２の係合凹部２２の形状を円形とすればよい。
【００４９】
また、上記実施の形態においては、宝飾品がペンダントである場合のみについて説明しているが、本発明は宝飾品が指輪、イヤリング、ブローチなどの他の宝飾品にも適用することができるのはもちろんである。
【符号の説明】
【００５０】
１・・宝石保持具、２・・保持部材、２ａ・・正面下端部、２ｂ・・上面端部、２ｃ・・後面下端部、３、３’・・挿通部材、４・・カット宝石、４ａ・・貫通孔、４ｂ・・表面、２１・・湾曲部、２２・・係合凹部、２３・・挿入孔、２４・・挿入孔、３１・・係合凸部、３２・・挿入軸、３３・・表示部材、３４・・空間部
【図１】
2011177434.tif 000003
【図２】
2011177434.tif 000004
【図３】
2011177434.tif 000005
【図４】
2011177434.tif 000006
【図５】
2011177434.tif 000007
【図６】
2011177434.tif 000008
【図７】
2011177434.tif 000009
【図８】
2011177434.tif 000010
【図９】
2011177434.tif 000011